(57)【特許請求の範囲】
【請求項１】
自動車の前部空間に運転席を設け、後部空間には、後側に後部車両扉の開閉で出し入れ可能なガスボンベを配置し、ガスボンベの上方には作業テーブルを設け、前記ガスボンベに隣接して後部空間の一方の横側に、発電機室を設けて、この発電機室内に発電機を配し、この発電機に隣接して、発電機の出し入れ、排気、および燃料の補給のための発電機室用扉を後部空間の一方の横側の車体部分に設け、さらに後部空間には、水タンク、浴槽、および収納庫を設けて、この浴槽と発電機と作業テーブルおよび前記水タンクと収納庫で囲まれた床面を形成し、後部空間の車体の両横側に車両扉を設け、一方の車両扉側の床面にステップを形成すると共に前記水タンクには、水道水を補給するための吸水管を接続でき、前記発電機で生成されて高周波を発生する交流電源の交流電極を配設して水タンク内で水の交流電気分解を可能とし、活性水素を発生させ、水の改質を行わせて、前記浴槽の上方に設けた給湯器よりペット用の給湯を行うようにしたことを特徴とするペット洗浄車。
【請求項２】
自動車の後部空間の水タンクは、後部空間の前側に設けて成ることを特徴とする請求項１記載のペット洗浄車。
【請求項３】
自動車の後部空間の水タンクは、後部空間のガスボンベと並んで設けて成ることを特徴とする請求項１記載のペット洗浄車。
【請求項４】
自動車の後部空間の水タンクには、ミネラル濃縮液を加えて成ることを特徴とする請求項１記載のペット洗浄車。
【発明の詳細な説明】
【０００１】
【発明の属する技術分野】
本発明は、出張してペットの洗浄を行うことができるペット洗浄車に関するものである。
【０００２】
【従来の技術】
従来、ペットの洗浄等の出張サービスを行うために、自動車の後部空間内に浴槽、作業テーブル、シャワー装置等を搭載したペット洗浄車が知られている。
【０００３】
このようなペット洗浄車として、以下に示される技術がある（特許文献１参照）。
【０００４】
図６を用いてこの技術について説明する。
【０００５】
１はペット美容洗浄車、２は車両、２ａは車両扉、２ｂは後部車両扉、３は収納ケース、３ａは棚、４は動力部、５は給湯タンク、６は給湯ボイラ、７はガスボンベ、８はコンプレッサ、９は発電機、１０はシャワーホース、１０ａ、１０ｂはシャワー、１０ｃはシャワーホルダー、１０ｄは開栓把手、１１は受台、１２、１３は洗浄用浴槽、１２ａ、１３ａは排水口、１２ｂ、１３ｂは栓、１４、１５は移動手段である。
【０００６】
このように各設備を車両２に搭載することにより、ペットのカットや洗浄について、出張サービスを行うことが可能になる。
【０００７】
【特許文献１】
特開２００１−９７１０６号公報
【０００８】
【発明が解決しようとする課題】
しかしながら、前述の技術では、燃料の補給に関して問題点があった。
【０００９】
すなわち、ガスボンベ７や発電機９の収納された収納ケース３が車両２の中心部付近に置かれており、ガスやオイル等の燃料の補給のためには、収納ケース３に車輪を配設するなどして車両扉２ａまたは後部車両扉２ｂのそばまで移動させる必要があり手間がかかった。
【００１０】
また、前述の技術に限らず一般的なペット洗浄車の問題点として、水の補給に関して問題点があった。
【００１１】
すなわち、水タンクにペット洗浄用の水を長期間貯えると品質が低下してしまうので、それを避けるために頻繁に水を補給、交換したり、水タンクの清掃をしたりしなければならなかった。
【００１２】
本発明は、以上のような問題点に鑑みて為されたものであり、その目的とする処は、燃料の補給が簡単にでき、また、水の補給、交換の回数を少なくしてもペット洗浄用に高品質の水を貯えることができ、結果として補給にかかる時間、手間を少なくすることができるペット洗浄車を提供することにある。
【００１３】
【課題を解決するための手段】
本発明は、下記の技術的構成により前記課題を解決できたものである。
【００１４】
（１）自動車の前部空間に運転席を設け、後部空間には、後側に後部車両扉の開閉で出し入れ可能なガスボンベを配置し、ガスボンベの上方には作業テーブルを設け、前記ガスボンベに隣接して後部空間の一方の横側に、発電機室を設けて、この発電機室内に発電機を配し、この発電機に隣接して、発電機の出し入れ、排気、および燃料の補給のための発電機室用扉を後部空間の一方の横側の車体部分に設け、さらに後部空間には、水タンク、浴槽、および収納庫を設けて、この浴槽と発電機と作業テーブルおよび前記水タンクと収納庫で囲まれた床面を形成し、後部空間の車体の両横側に車両扉を設け、一方の車両扉側の床面にステップを形成すると共に前記水タンクには、水道水を補給するための吸水管を接続でき、前記発電機で生成されて高周波を発生する交流電源の交流電極を配設して水タンク内で水の交流電気分解を可能とし、活性水素を発生させ、水の改質を行わせて、前記浴槽の上方に設けた給湯器よりペット用の給湯を行うようにしたことを特徴とするペット洗浄車。
【００１５】
（２）自動車の後部空間の水タンクは、後部空間の前側に設けて成ることを特徴とする前記（１）項記載のペット洗浄車。
【００１６】
（３）自動車の後部空間の水タンクは、後部空間のガスボンベと並んで設けて成ることを特徴とする前記（１）項記載のペット洗浄車。
【００１７】
（４）自動車の後部空間の水タンクには、ミネラル濃縮液を加えて成ることを特徴とする前記（１）項記載のペット洗浄車。
【００１８】
【発明の実施の形態】
以下、本発明の実施の形態を実施例に基づいて具体的に説明する。
【００１９】
（実施例１）
図１〜図３は、本実施例のペット洗浄車を示す図であって、図１は平面図、図２は側面図、図３（ａ）は、後部車両扉を開いた状態の背面図、図３（ｂ）は、後部車両扉を閉じた状態の背面図である。
【００２０】
２０１は、ワゴン車等の自動車、２０２は前部空間、２０３は後部空間、２１１は水タンクである。
【００２１】
なお、水タンク２１１は、水タンク２１１に水道水を補給するための給水管と、水タンク２１１から水を使用するためのホースとを備えているが、図１〜図３では省略して示している。
【００２２】
２１２は排水穴、２１３は、車両の扉の一つである車両扉、２１４は浴槽、２１５は給湯機、２１６は化粧合板張りトリム部、２１７は、車両の扉の一つである発電機室用扉、２１８は発電機室、２１８ｂは発電機、２１９はガスボンベ収納庫、２２０はガスボンベ、２２１は、車両の扉の一つである後部車両扉、２２２は作業テーブル、２２３は収納庫、２２４は、ロンリューム張りの床面、２２５はステップ、２２６はリヤヒータ、２２７は配電盤である。
【００２３】
配電盤２２７は、発電機２１８ｂのほかに、外部より商用電源と切り替えて使用することもできる。
【００２４】
２２８は換気扇、２２９はルーバーである。
【００２５】
本実施例のペット洗浄車は、ワゴン車等の自動車２０１を利用したものであり、その前部空間２０２内に運転席を設け、後部空間２０３内に各設備を搭載している。
【００２６】
後部空間２０３へは、車両扉２１３を開けることで乗り降り可能となる。
【００２７】
自動車２０１の運転を行うときには運転席に、ペットのカットや洗浄を行うときには後部空間２０３へ移動することで、乗務員は、運転と、ペットのカットや洗浄とを、一人で行うことができる。
【００２８】
自動車２０１の後部空間２０３には、前側に車両扉２１３の開閉で水道水の補給が可能な水タンク２１１を、後側に後部車両扉２２１の開閉で出し入れ可能なガスボンベ２２０を配置している。
【００２９】
ガスボンベ２２０の上方には、作業テーブル２２２を設けて、限られた空間を有効に利用する。
【００３０】
また、ガスボンベ２２０に隣接して後部空間２０３の一方の横側に発電機２１８ｂを配し、さらにこの発電機２１８ｂと水タンク２１１との間に浴槽２１４を配する。
【００３１】
このように配置することで、浴槽２１４と発電機２１８ｂと作業テーブル２２２および水タンク２１１で囲まれて床面２２４を形成し、作業を行うための空間を確保する。
【００３２】
そして、後部空間２０３の他方の横側に車両扉２１３を設けて、犬や猫等のペットおよび乗務員の乗り降りができるようにしている。本実施例では、さらに、ステップ２２５を設けて、大型のペットの乗り降りもしやすいようにしている。
【００３３】
次に、燃料および水の補給について説明する。
【００３４】
まず、燃料の補給について説明する。
【００３５】
ガスの補給のためにガスボンベ２２０の交換等を行うときには、後部車両扉２２１を開けることで、簡単に行うことができる。
【００３６】
すなわち、後部車両扉２２１を開けると、すでにガスボンベ２２０が交換しやすい扉付近に配置されているため、ガスボンベ２２０を移動させる時間および手間は、わずかで済む。
【００３７】
また、発電機２１８ｂにオイルを補給するときには、発電機室用扉２１７を開くことで、簡単に行うことができる。
【００３８】
発電機２１８ｂの下部にスライドレール等を設け、容易に外へ引き出すことができるようにしてもよい。
【００３９】
すなわち、発電機室用扉２１７を開けると、すでに発電機２１８ｂがオイルを補給しやすい扉付近に配置されているため、発電機２１８ｂを移動させる時間および手間がかからない。
【００４０】
なお、この発電機室用扉２１７は、通常、車両が備える扉とは別に特別に設けられた扉であって、発電機２１８ｂの出し入れ、排気にも用いることができる。
【００４１】
次に、水の補給について説明する。
【００４２】
本実施例では、水タンク２１１に、例えば特許第２６１１０８０号、特許第２６１５３０８号、特許第２６２３２０４号等に示される技術を用いた、水を交流電気分解して改質することができる水タンクを用いている。
【００４３】
図４に、本実施例の水タンク２１１の概略説明図を示す。
【００４４】
１０１は、水タンク２１１に水道水を補給するための給水管、１０２は、水タンク２１１内のミネラル還元水、１０３は交流電極、１０４は、霞状に発生する１φμｍの活性水素、１０５は、無変調時に発生する１φｍｍの大きな泡、１０６は、水タンク２１１からミネラル還元水を使用するためのホース、１０７は、結合分解によって生じる不純物の分解沈殿、１０８はミネラル、１０９は交流電極、１１０は、活性水素と直ちに打ち消し合う活性酸素、１１１はグランド電極、１１２は、ミネラル１０８に活性水素１０４が激突してできる水素吸蔵ミネラルである。
【００４５】
Ａは電極の反転を示し、本実施例では１秒間に３００００回以上電極の反転を行っている。
【００４６】
この水タンク２１１に給水管１０１から水道水を入れて電流を流すと、水が電気分解されて活性水素１０４が発生する。
【００４７】
直流電気分解ではプロトンのみが発生するが、本実施例のように交流電気分解ではプロトンとＨ−とが発生していて、活性水素１０４の寿命が長い。
【００４８】
また、水タンク２１１にミネラル濃縮液を入れて交流電気分解を行うと、活性水素１０４は、左右の電極間を移動中に水中のミネラル１０８にも吸蔵されるので、さらに寿命が長くなる。
【００４９】
このような技術を用いた水タンクを用いることで、水の補給、交換の回数が少なくても、水の高品質が保たれ、補給のための時間および手間を少なくすることができる。
【００５０】
また、洗浄力、殺菌消臭能力のある還元水をペット洗浄に用いることによって、汚れがよく落ち、ペットの身体を清潔に保つことができる。
【００５１】
さらに、ミネラル還元水は、ミネラルがよく溶け、浸透性が高いことから、湯にして用いれば温泉のように身体全体が暖まり、肌がうるおうといった効果も得ることができる。
【００５２】
なお、水タンク２１１内の水位レベルを直接見ることができる水管を外部に取り付けて、水量の管理を容易にすることもできる。
【００５３】
また、水タンク２１１内には、車の運転による水の動揺を防ぐため、波止め構造を採用してもよい。
【００５４】
また、水タンク２１１内には、設定した水位を越えると、自動的に排水する構造を採用してもよい。
【００５５】
また、水タンク２１１内の清掃及び水の入れ替えを容易にするため、排水バルブを備えてもよい。
【００５６】
（実施例２）
次に、図５を用いて実施例２について説明する。
【００５７】
図５は、本実施例のペット洗浄車を示す平面図である。
【００５８】
実施例２の構成は、浴槽、ガスボンベ、ガスボンベ収納庫、水タンク、給湯機、および作業テーブルの配置を変更し、還元部コントローラを備えたことを除いて、実施例１と同一であるので、同一の構成には同一の符号を付し、詳細な説明を省略する。
【００５９】
２１１ａは水タンクである。
【００６０】
なお、水タンク２１１ａは、水タンク２１１ａに水道水を補給するための給水管と、水タンク２１１ａから水を使用するためのホースとを備えているが、図５では省略して示している。
【００６１】
２１４ａは浴槽、２１５ａは給湯機、２１９ａはガスボンベ収納庫、２２０ａはガスボンベ、２２２ａは作業テーブルである。
【００６２】
なお、図には示していないが、浴槽２１４ａの下部、給湯機２１５ａの上部、給湯機２１５ａの下部等に収納庫を設けてもよい。
【００６３】
２３０は、水タンク２１１ａについて、交流電気分解等の動作を設定するための還元部コントローラである。
【００６４】
この還元部コントローラ２３０は、実施例１では水タンク２１１ａと一体に設けていたので省略して示したが、本実施例のように、水タンク２１１ａと分離させ、操作し易い位置に配置してもよい。この場合は、図には示していないが配線等によって水タンク２１１ａと接続する。
【００６５】
自動車２０１の後部空間２０３には、前側に浴槽２１４ａを、後側に後部車両扉２２１の開閉で出し入れ可能にガスボンベ２２０ａおよび水タンク２１１ａを並べて配置している。
【００６６】
ガスボンベ２２０ａの上方には、作業テーブル２２２ａを設けて、限られた空間を有効に利用する。
【００６７】
また、ガスボンベ２２０ａに隣接して後部空間２０３の一方の横側に発電機２１８ｂを配し、さらにこの発電機２１８ｂと浴槽２１４ａとの間に給湯機２１５ａを配する。
【００６８】
このように配置することで、この給湯機２１５ａと発電機２１８ｂと作業テーブル２２２ａと水タンク２１１ａおよび浴槽２１４ａで囲まれて床面２２４を形成し、作業を行うための空間を確保する。
【００６９】
そして、後部空間２０３の他方の横側に車両扉２１３を設けて、犬や猫等のペットおよび乗務員の乗り降りができるようにしている。本実施例では、さらに、ステップ２２５を設けて、大型のペットの乗り降りもしやすいようにしている。
【００７０】
次に、燃料および水の補給について説明する。
【００７１】
まず、燃料の補給について説明する。
【００７２】
ガスの補給のためにガスボンベ２２０ａの交換等を行うときには、後部車両扉２２１を開けることで、簡単に行うことができる。
【００７３】
すなわち、後部車両扉２２１を開けると、すでにガスボンベ２２０ａが交換しやすい扉付近に配置されているため、ガスボンベ２２０ａを移動させる時間および手間は、わずかで済む。
【００７４】
また、発電機２１８ｂにオイルを補給するときには、発電機室用扉２１７を開くことで、簡単に行うことができる。
【００７５】
すなわち、発電機室用扉２１７を開けると、すでに発電機２１８ｂがオイルを補給しやすい扉付近に配置されているため、発電機２１８ｂを移動させる時間および手間がかからない。
【００７６】
なお、この発電機室用扉２１７は、通常、車両が備える扉とは別に特別に設けられた扉であって、発電機２１８ｂの出し入れ、排気にも用いることができる。
【００７７】
次に、水の補給について説明する。
【００７８】
本実施例では、水タンク２１１ａを、後部車両扉２２１の開閉で出し入れ可能にガスボンベ２２０ａと並べて配置している。
【００７９】
これによって、水タンク２１１ａに水の補給を行ったり、水タンク２１１ａの交換等を行ったりするときには、後部車両扉２２１を開けることで、簡単に行うことができる。
【００８０】
すなわち、後部車両扉２２１を開けると、すでに水タンク２１１ａが水の補給や交換をしやすい扉付近に配置されているため、水タンク２１１ａに水の補給をする時間および手間、水タンク２１１ａを交換のために移動させる時間および手間は、わずかで済む。
【００８１】
また、水タンク２１１ａには、実施例１と同じく水を交流電気分解して改質することができる水タンクを用いている。
【００８２】
このような水タンクを用いることで、水の補給、交換の回数が少なくても、水の高品質が保たれ、補給のための時間および手間を少なくすることができる。
【００８３】
また、洗浄力、殺菌消臭能力のある還元水をペット洗浄に用いることによって、汚れがよく落ち、ペットの身体を清潔に保つことができる。
【００８４】
さらに、ミネラル還元水は、ミネラルがよく溶け、浸透性が高いことから、湯にして用いれば温泉のように身体全体が暖まり、肌がうるおうといった効果も得ることができる。
【００８５】
また、本実施例では、水タンク２１１ａを後部車両扉２２１付近に配置することで、浴槽２１４ａを車両扉２１３近傍に配置できるので、ペットの大きさや浴槽２１４ａの構造等によっては、発電機２１８ｂが設けられている側の車両扉２１３を開き、そこからペット等を出し入れすることも可能である。
【００８６】
【発明の効果】
以上説明したように、本発明によれば、燃料の補給が簡単にでき、また、水の補給、交換を容易にし、ペット洗浄用に高品質の水を貯えることができ、結果として補給にかかる時間、手間を少なくすることができるペット洗浄車を提供することができる。
【００８７】
また、水を交流電気分解して改質することができる水タンクを用いることで、洗浄力、殺菌能力のある還元水をペット洗浄に用いることができ、汚れがよく落ち、ペットの身体を清潔に保つといった効果が得られる。
【００８８】
さらに、還元水を湯にして用いることで、温泉のように身体全体が暖まり、肌がうるおうといった効果も得ることができる。
【図面の簡単な説明】
【図１】  本実施例のペット洗浄車を示す平面図である。
【図２】  本実施例のペット洗浄車を示す側面図である。
【図３】  本実施例のペット洗浄車を示す背面図であって、（ａ）は後部車両扉が開いた状態、（ｂ）は後部車両扉が閉じた状態である。
【図４】  本実施例の水タンクの概略説明図である。
【図５】  他の実施例のペット洗浄車を示す平面図である。
【図６】  従来の技術を説明する図である。
【符号の説明】
２０１  自動車
２０３  後部空間
２１１  水タンク
２１３  車両扉
２１４  浴槽
２１７  発電機室用扉
２１８ｂ  発電機
２２０  ガスボンベ
２２１  後部車両扉
２２２  作業テーブル
２２４  床面
【図１】
0003650794.tif 000002
【図２】
0003650794.tif 000003
【図３】
0003650794.tif 000004
【図４】
0003650794.tif 000005
【図５】
0003650794.tif 000006
【図６】
0003650794.tif 000007